【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
着座面を有する便座と、
前記便座の裏面側に設けられ発熱線の外周面に絶縁被覆を有する線状ヒータと、
前記便座の裏面側において前記線状ヒータを覆うように設けられる金属箔と、
前記線状ヒータ上の前記金属箔に接触する温度監視面を有し前記温度監視面の温度が所定の温度になった場合に前記線状ヒータの発熱を停止させる安全装置と、
前記便座の温度を測定する温度測定部と、
前記線状ヒータへの通電を制御する制御部とを備え、
前記金属箔と前記温度監視面とが同じ金属材料からなり、
前記温度監視面が接触する領域における前記線状ヒータの密度は前記温度監視面が接触する領域以外の領域における前記線状ヒータの密度に比べて高い、
ことを特徴とする便座装置。
【請求項２】
前記金属箔および前記温度監視面はアルミニウムからなることを特徴とする請求項１に記載の便座装置。
【請求項３】
前記安全装置はサーモスタットであることを特徴とする請求項１または２に記載の便座装置。
【請求項４】
前記金属箔と前記温度監視面との間に設けられる熱伝導性材料をさらに備えることを特徴とする請求項１〜３のいずれか１項に記載の便座装置。
【請求項５】
前記制御部は、前記便座の温度を待機状態から人が使用する設定温度まで昇温させる際に、前記待機状態時に前記線状ヒータに供給される電力よりも大きい電力が前記線状ヒータに供給されるように前記線状ヒータへの通電を制御することを特徴とする請求項１〜４のいずれか１項に記載の便座装置。
【手続補正２】
【補正対象書類名】明細書
【補正対象項目名】０００８
【補正方法】変更
【補正の内容】
【０００８】
（１）本実施の形態に係る便座装置は、着座面を有する便座と、便座の裏面側に設けられ発熱線の外周面に絶縁被覆を有する線状ヒータと、便座の裏面側において線状ヒータを覆うように設けられる金属箔と、線状ヒータ上の金属箔に接触する温度監視面を有し温度監視面の温度が所定の温度になった場合に線状ヒータの発熱を停止させる安全装置と、便座の温度を測定する温度測定部と、線状ヒータへの通電を制御する制御部とを備え、金属箔と温度監視面とが同じ金属材料からなり、温度監視面が接触する領域における線状ヒータの密度は温度監視面が接触する領域以外の領域における線状ヒータの密度に比べて高い、ものである。
【手続補正３】
【補正対象書類名】明細書
【補正対象項目名】０００９
【補正方法】変更
【補正の内容】
【０００９】
この便座装置によれば、線状ヒータで発生された熱が、金属箔を介して便座に伝達される。それにより、便座の温度が上昇する。
【手続補正４】
【補正対象書類名】明細書
【補正対象項目名】００１０
【補正方法】変更
【補正の内容】
【００１０】
また、上記金属箔の温度が所定の温度になった場合に、安全装置により線状ヒータの発熱が停止される。それにより、便座装置の高い安全設計が可能となる。
【手続補正５】
【補正対象書類名】明細書
【補正対象項目名】００１３
【補正方法】変更
【補正の内容】
【００１３】
さらに、温度監視面が接触する領域における線状ヒータの密度は温度監視面が接触する領域以外の領域における線状ヒータの密度に比べて高いことにより、安全装置における熱密度が高くなり、熱容量が大きい安全装置を便座表面に近い速度で昇温させることができる。それにより、安全装置の応答遅れを防止することができる。
【手続補正６】
【補正対象書類名】明細書
【補正対象項目名】００１４
【補正方法】変更
【補正の内容】
【００１４】
（２）金属箔および温度監視面はアルミニウムからなってもよい。この場合、アルミニウムは高い熱伝導率を有するので、線状ヒータで発生する熱が効率よく安全装置に伝達される。その結果、安全装置による温度監視精度が向上し、安全装置の信頼性が十分に向上する。
【手続補正７】
【補正対象書類名】明細書
【補正対象項目名】００１５
【補正方法】変更
【補正の内容】
【００１５】
（３）安全装置はサーモスタットであってもよい。
【手続補正８】
【補正対象書類名】明細書
【補正対象項目名】００１６
【補正方法】変更
【補正の内容】
【００１６】
（４）便座装置は、金属箔と温度監視面との間に設けられる熱伝導性材料をさらに備えてもよい。
【手続補正９】
【補正対象書類名】明細書
【補正対象項目名】００１７
【補正方法】変更
【補正の内容】
【００１７】
この場合、線状ヒータによる金属箔の凹凸面と、安全装置の温度監視面との間に隙間が形成される際にも、その隙間に熱伝導材料を充填することにより金属箔と安全装置との間の熱の伝達経路を拡大することができる。それにより、線状ヒータで発生する熱が効率よく安全装置の温度監視面に伝達される。その結果、安全装置による温度監視精度がさらに向上し、安全装置の信頼性がさらに向上する。
（５）制御部は、便座の温度を待機状態から人が使用する設定温度まで昇温させる際に、待機状態時に線状ヒータに供給される電力よりも大きい電力が線状ヒータに供給されるように線状ヒータへの通電を制御してもよい。
【手続補正１０】
【補正対象書類名】明細書
【補正対象項目名】０１５６
【補正方法】変更
【補正の内容】
【０１５６】
さらに、制御部９０は、ステップＳ２において、使用者の入室を検知した後、便座開閉判別動作を行ってもよい。この場合、制御部９０は、便座部４００が閉状態であるときにステップＳ３の動作を行い、便座部４００が開状態であるときに便器洗浄処理を終了する。これにより、不必要な便器プレ洗浄が防止される。
【手続補正１１】
【補正対象書類名】明細書
【補正対象項目名】０４３０
【補正方法】変更
【補正の内容】
【０４３０】
このとき、制御部９０は、人体用切替弁１３を制御することにより、使用者による局部の洗浄前にノズル部２０に供給される洗浄水をノズル洗浄ノズル２３に送ってもよい。これにより、使用者の局部の洗浄前のおしりノズル２１およびビデノズル２２の先端が洗浄される。
【手続補正１２】
【補正対象書類名】明細書
【補正対象項目名】０５７３
【補正方法】変更
【補正の内容】
【０５７３】
また、本例では、第１系列Ａの蛇行形状の線状ヒータ４６０での電流の向きが第２系列Ｂの蛇行形状の線状ヒータ４６０での電流の向きと逆になる。それにより、線状ヒータ４６０から発生する電磁波が互いが打ち消される。その結果、ノイズの発生が防止される。
【手続補正１３】
【補正対象書類名】明細書
【補正対象項目名】０６１７
【補正方法】変更
【補正の内容】
【０６１７】
ＰＦＡは、フッ素樹脂の一種である。これにより、ＰＦＡは、粘着剤または接着剤に対する濡れ性が低い。そのため、後述するように、線状ヒータ４６０が粘着層４５２ｂを用いて金属箔４５１と金属箔４５３との間に取り付けられる場合でも、線状ヒータ４６０は粘着層４５２ｂにより強固に固定されない。
【手続補正１４】
【補正対象書類名】明細書
【補正対象項目名】０６１８
【補正方法】変更
【補正の内容】
【０６１８】
それにより、線状ヒータ４６０は、金属箔４５１と金属箔４５３との間で遊動することが可能である。したがって、線状ヒータ４６０が伸縮する場合でも、伸縮時に発生する応力が局所的に集中することなく拡散される。その結果、上述の熱応力緩衝部により確実に線状ヒータ４６０の伸縮が吸収される。
【手続補正１５】
【補正対象書類名】明細書
【補正対象項目名】０６４８
【補正方法】変更
【補正の内容】
【０６４８】
また、本例においては、線状ヒータ４６０の熱を便座ケーシング４１０に効率よく伝達するために、線状ヒータ４６０をアルミ箔４５１，４５３で挟んでいる。ここで、本例の線状ヒータ４６０においては、エナメル層４６３ｂおよび絶縁被覆層４６２を薄くできるので、線状ヒータ４６０の外径を細く（約φ０．２〜φ０．４）できる。この場合、アルミ箔４５１とアルミ箔４５３とを貼り合わせる際に、アルミ箔４５１とアルミ箔４５３との間の空気層を小さくすることができるとともに、アルミ箔４５１，４５３のしわを少なくすることができる。それにより、エナメル線４６３の局所高熱が抑制され、エナメル線４６３の断線および電気絶縁層（エナメル層４６３ｂおよび絶縁被覆層４６２）の損傷が防止される。その結果、便座装置１１０の長寿命化が可能になる。
【手続補正１６】
【補正対象書類名】明細書
【補正対象項目名】０６９４
【補正方法】変更
【補正の内容】
【０６９４】
この場合、Ｃａ−Ｃａ線部分の便座ヒータ４５０の幅は、着座面４１０Ｕの前方側の幅Ｗ４１ａとほぼ同じに形成される。また、Ｃｂ−Ｃｂ線部分の便座ヒータ４５０の幅は、着座面４１０Ｕの後方側の幅Ｗ４１ｂとほぼ同じに形成される。
【手続補正１７】
【補正対象書類名】明細書
【補正対象項目名】０７７３
【補正方法】変更
【補正の内容】
【０７７３】
さらに、上部便座ケーシング４１０の裏面の金属箔４５１と絶縁被覆層４６２との間に耐熱絶縁層４５５が設けられる場合、耐熱絶縁層４５５により発熱線４６３ａと上部便座ケーシング４１０のアルミニウム板４１３とをより確実に絶縁することができる。